(57)【要約】【課題】アンプル、バイエル等のガラス製の物品の容器で、簡便で、軽量で、安価で、物品の挿入、取り出しが容易で、かつ物品を外部からの衝撃から確実に守ることができる容器を提供することである。【解決手段】波状に山部と谷部とが交互に形成されたロンドレーション形状の容器の両端の山部の頂点と各々の山部に隣接する山部の頂点の水平距離が、他のいずれかの山部間の頂点間の水平距離に比べて０．２ｍｍから０．５ｍｍ小さい容器で達成される。【選択図】図１
2015089835.tif 000002
【特許請求の範囲】
【請求項１】
筒部を有する形状の物品を収納する容器であって、シート状の部材を波状に山部と谷部とが交互に形成されるように変形した形状を有し、かつ前記山部を４個以上、３０個以下有し、前記容器の最も端の山部の頂点とそれに隣接する山部の頂点の間の水平距離と、それと反対側の最も端の山部の頂点とそれに隣接する山部の頂点の間の水平距離が等しく（Ｌ１とする）、それ以外の山部の頂点の間の水平距離の内の少なくとも一つの水平距離（Ｌ２）がＬ１と下記式（１）で表される関係にあることを特徴とする容器。
０．２ｍｍ≦Ｌ２−Ｌ１≦０．５ｍｍ          （１）
【請求項２】
前記容器においてｍ個の山部を有し、容器の最も端の山部の頂点とそれに隣接する山部の頂点の間の水平距離がＬ１であり、ｍがｍ＝２ｎ、あるいはｍ＝２ｎ＋１である場合に、ｎ番目とｎ＋１番目の前記山部の頂点の間の水平距離をＬ３とした場合にＬ１とＬ３の関係が下記式（２）で表されることを特徴とする請求項１記載の容器。
（ｍ、ｎは正の整数であり、ｎは２以上である）
０．２ｍｍ≦Ｌ３−Ｌ１≦０．５ｍｍ          （２）
【請求項３】
前記Ｌ１と前記Ｌ２関係が下記式（３）で表されることを特徴とする請求項１記載の容器。
０．３ｍｍ≦Ｌ２−Ｌ１≦０．４ｍｍ          （３）
（Ｌ１，Ｌ２は各々請求項１記載のＬ１，Ｌ２と同じである）
【請求項４】
前記Ｌ１と前記Ｌ３関係が下記式（４）で表されることを特徴とする請求項２記載の容器。
０．３ｍｍ≦Ｌ３−Ｌ１≦０．４ｍｍ          （４）
（Ｌ１，Ｌ３は各々請求項２記載のＬ１，Ｌ３と同じである）
【請求項５】
前記山部を４個以上、１５個以下有することを特徴とする請求項１から請求項４のいずれかに記載の容器。
【発明の詳細な説明】
【技術分野】
【０００１】本発明は容器に関する。
【背景技術】
【０００２】    容器に必要とされる重要な性能は、収納される物品を外部から与えられる衝撃から守ることにある。例えば医療用に使用されるアンプルはアンプル収納容器に収納されて搬送されるが、アンプルは容易に破損するため外部の衝撃から守ることが通常の物品以上に要求される。また容器は簡便に取り扱え、容易に開封でき、軽量で安価であることが求められる。従来、ロンドレーションと称されるシート状の部材が波状に山部と谷部とが交互に形成され、シート状の底面部に密着された容器が用いられて来た。
しかし、従来のロンドレーションはアンプル等の物品を固定する力を十分な強さにできず、輸送中に物品が動き、破損するトラブルが発生していた。また、輸送中の破損を防止するためロンドレーションの物品を挿入する部分のサイズを小さくし物品をより強く固定すると、物品の挿入、取り出しが困難であり、場合によっては挿入、取り出し時に大きな力を必要とし物品が破損するようなこともあった。
簡便で、軽量で、安価で、物品の挿入、取り出しが容易で、かつ物品を外部からの衝撃から確実に守ることができる容器が求められていた。
なお物品の破損を防止できるロンドレーションについては特許文献１に記載されているが、特許文献１の方法では底上げ部を設けるための余計な工程が必要であり安価に作成できず、かつアンプルの固定の安定性が不十分で物品の破損防止効果が十分でない。
【先行技術文献】
【特許文献】
【０００３】
【特許文献１】  特開２００９−２４９０３４号公報
【発明の概要】
【発明が解決しようとする課題】
【０００４】    簡便で、軽量で、安価で、物品の挿入、取り出しが容易で、かつ物品を外部からの衝撃から確実に守ることができる容器を提供することである。特にアンプル、バイエル等の医薬品の収納に用いられるガラス製の物品を簡便で、軽量で、安価で、物品の挿入、取り出しが容易で、かつ物品を外部からの衝撃から確実に守ることができる容器を提供することである。
【課題を解決するための手段】
【０００５】（１）筒部を有する形状の物品を収納する容器であって、シート状の部材を波状に山部と谷部とが交互に形成されるように変形した形状を有し、かつ前記山部を４個以上、３０個以下有し、前記容器の最も端の山部の頂点とそれに隣接する山部の頂点の間の水平距離と、それと反対側の最も端の山部の頂点とそれに隣接する山部の頂点の間の水平距離が等しく（Ｌ１とする）、それ以外の山部の頂点の間の水平距離の内の少なくとも一つの水平距離（Ｌ２）がＬ１と下記式（１）で表される関係にある容器。
０．２ｍｍ≦Ｌ２−Ｌ１≦０．５ｍｍ              （１）
（２）前記容器においてｍ個の山部を有し、容器の最も端の山部の頂点とそれに隣接する山部の頂点の間の水平距離がＬ１であり、ｍがｍ＝２ｎ、あるいはｍ＝２ｎ＋１である場合に、ｎ番目とｎ＋１番目の前記山部の頂点の間の水平距離をＬ３とした場合にＬ１とＬ３の関係が下記式（２）で表される第１項記載の容器。
（ｍ、ｎは正の整数であり、ｎは２以上である）
０．２ｍｍ≦Ｌ３−Ｌ１≦０．５ｍｍ              （２）
（３）前記Ｌ１と前記Ｌ２関係が下記式（３）で表される第１項記載の容器。
０．３ｍｍ≦Ｌ２−Ｌ１≦０．４ｍｍ            （３）
（Ｌ１，Ｌ２は各々請求項１記載のＬ１，Ｌ２と同じである）
（４）前記Ｌ１と前記Ｌ３関係が下記式（４）で表される第２項記載の容器。
０．３ｍｍ≦Ｌ３−Ｌ１≦０．４ｍｍ          （４）
（Ｌ１，Ｌ３は各々請求項２記載のＬ１，Ｌ３と同じである）
（５）前記山部を４個以上、１５個以下有する第１項から第４項のいずれかに記載の容器。【０００６】    最も端の山とは図２の最も左側の山および最も右側の山である。
なお、山部の頂点とそれに隣接する山部の頂点の間の水平距離を説明する。山部の頂点とは山部の頂点が連なった直線であり、本発明の容器では山部が平行に形成されているので、この山部の頂点が連なった直線は平行に並んでいる。これらの平行な直線を図１の底面部１０に垂直な方向から底面部１０に投影した場合の平行な各直線の底面部１０上での間隔を山部の頂点とそれに隣接する山部の頂点の間の水平距離とする。例えば、山が７個ある場合、山部とそれに隣接する山部の間は６個ある。最も端の山部とそれに隣接する山部の間は両端で計２個ある（それらの山部の頂点間の水平距離はＬ１である）ので、それ以外の隣接する山部の間は４個である。この４個の隣接する山部の間の頂点間の水平距離の内少なくとも１個の隣接する山部の頂点間の水平距離がＬ１より０．２ｍｍから０．５ｍｍ大きいことを第１項で示している。【０００７】    上記課題を解決するために、本発明に係る容器は、筒部を有する形状の物品を収納する容器であって、２枚以上のシートからなり、第１のシートが図１の底面部１０、上方側面部１１、下方側面部１２を形成し、その上に第２のシートが密着しており、第２のシートが波状に山部と谷部とが交互に形成されるように変形された形状を有し、図１の波状挟持部１３を形成する。第１のシートと第２のシートは接着剤により接着されている。図４のように山部と隣接する山部の間、ここでは谷部と称するが、この谷部に図４記載のようにアンプル等の筒部を有する物品を挟持する。本発明の容器は山部を４個以上、３０個以下有するので、物品を挟持する谷を３個以上、２９個以下有する。【０００８】    また前記山部において隣の山部と対向する部位は、前記隣の山部の方向へ膨出する膨出部を有することが好ましい。図２（ｂ）の山部の上部の膨らみが膨出部である。対向する隣接する前記膨出部の間の最短の間隔は前記物品の筒部の直径よりも小さいことが好ましい。これにより前記膨出部と前記波状挟持部の底部により物品に対する上下方向の衝撃を柔らげることができ、また山部が物品への横方法からの衝撃に対する緩衝材となる。よって物品は確実に位置決めされると同時に、上下左右からの衝撃が緩和されて物品の破損を防止できる。【０００９】    また前記物品は軟膏等に用いるチューブ容器、アンプル、バイアルであるとしてもよい。特にアンプル、バイアルは元来割れ易く、アンプル、バイアルを収納容器に収納して搬送する際に、外部からの衝撃で破損する場合がある。また、軟膏等のチューブ容器においても変形防止、取り出し操作の容易さを確保するため十分な緩衝保護能力を有し、かつ容易に物品を挿入、脱着できることが収納容器に求められる。さらにこれらの収納容器に対しては、低コストで作成するとの要求が高い。本発明によって簡易な構造で低コストで製作できる、軟膏等に用いるチューブ容器、アンプル、バイアルを収納する容器で、十分な保護能力、操作の簡便性を兼ね備えた容器を提供できる。【００１０】    本発明の容器の製作は種々の所謂ロンドレーション製造機（あるいはマルチフォームトレイ製造機と呼ばれる、例えばディヴィデラ社製）のものを用いて行うことができる。
また、本発明の容器の材料は紙を用いることが好ましい。紙は多種のものを使用できるが、底面部、上方側面部、下方側面部にはノーコート紙、コート紙を用いることができるがノーコート紙の方が好ましい。坪量は２６０ｇ／ｍ２から４５０ｇ／ｍ２が好ましく、２８０ｇ／ｍ２から３８０ｇ／ｍ２がさらに好ましい。また、波状の部分のシ−ト（山、谷を形成）はノーコート紙、コート紙を用いることができ、坪量は１００ｇ／ｍ２から３６０ｇ／ｍ２が好ましく、１５０ｇ／ｍ２から３１０ｇ／ｍ２がさらに好ましい。
波状部分のシートと底面部は接着剤で接着することが好ましく、接着剤は特に限定されないがホットメルト接着剤が好ましい。特に安価、取り扱いが容易で、接着力が十分強いことからエチレン酢酸ビニル系のホットメルト接着剤が好ましい。
【発明の効果】
【００１１】    本発明によって製造が容易な簡易な構造で、低コストで、物品に対する外部からの衝撃を防ぐ十分な緩衝能力があり、物品の保護能力が優れ、また物品挿入、脱着が容易な容器を提供できる。軟膏薬等のチューブ、アンプル、バイエル等の物品に適した容器を提供できる。
【図面の簡単な説明】
【００１２】
【図１】本発明の実施例１に係るアンプルケースの斜視図。
【図２】実施例１におけるアンプルケースの（ａ）上面図及び（ｂ）側面図。
【図３】実施例１のアンプルケースの要部拡大図。
【図４】アンプルを収納した状態での実施例１のアンプルケースの斜視図。
【図５】アンプルを収納した状態での実施例１のアンプルケースの（ａ）上面図及び（ｂ）側面図。
【図６】アンプルを収納した状態での実施例１のアンプルケースの正面図。
【図７】アンプルを収納した状態での実施例１のアンプルケースの要部拡大図。
【発明を実施するための形態】
【００１３】    以下、本発明の実施形態を図面を参照しつつ説明する。まず図１は、本発明の実施例１としてのアンプルケース１（ケース、容器）の斜視図である。ケース１は、アンプルを６個収容するアンプルケースである。図２（ａ）はケース１の上面図であり、図２（ｂ）は図２（ａ）を図示下方から見た側面図である。また図３は図１の要部拡大図である。
これらの図に示されているように、ケース１は底面部１０、上方側面部１１、下方側面部１２、波状挟持部１３を備える。
【００１４】    底面部１０はケース１全体にとっての底面を形成する。上方側面部１１は、アンプル３０を収納した状態でアンプル３０の上部側に位置する。下方側面部１２は、アンプル３０を収納した状態でアンプル３０の底部側に位置する。底面部１０、上方側面部１１、下方側面部１２は、例えば１枚の紙からなるとすればよい。
【００１５】    波状挟持部１３は１枚の長方形状を有するシート状の部材が変形された形状となっている。波状挟持部１３の形状はいわゆるロンドレーションと呼ばれる形状であり、交互に山部２５と谷部２６とを有するように湾曲している。波状挟持部１３は、最初からこうした形状を有するように形成されていてもよいし、平らなシートがこうした形状に変形されたとしてもよい。ケース１では波状挟持部１３は１枚の紙が湾曲されることで形成されたとする。谷部２６が底面部１０に固着されることによって、波状挟持部１３と底面部１０、上方側面部１１、下方側面部１２とは一体化される。谷部２６は、例えばホットメルト接着剤によって底面部１０に固着すればよい。
【００１６】    図４、図５はそれぞれ図１、図２にアンプル３０を収納した状態を示した図である。アンプル３０は筒部３１と枝部３２とを有する。
アンプル３０は、山部２５と山部２５との間を押し広げるようにして波状挟持部１３の谷部２６へと挿入される．図５（ｂ）の要部が図７に拡大して示されている。図７に示されているとおり、波状挟持部１３の山部２５には、隣の山部２５の方へ膨出した膨出部２７が形成されている。
【００１７】    上述のとおり、波状挟持部１３を紙により作成したことで波状挟持部１３は弾性を有する。この弾性によって、以下のとおり外部からの衝撃が緩和されてアンプル３０が保護される。
まずケース１に横方向から衝撃が与えられた場合、まずアンプル３０は、波状挟持部１３のもつ弾性により衝撃が緩和される。よって、横方向からの衝撃が緩和されて、アンプル３０が保護される。
さらにケース１に上下方向から衝撃が与えられた場合、図７の図示上下方向からの衝撃の場合、膨出部２７の存在によって衝撃が直接アンプル３０に加わらない。上下方向からの衝撃は緩和される。よって、上下方向から衝撃も緩和されて、アンプル３０の破損が抑制される。
【００１８】    図６には上方側面部１１を上方側面部１１と底面部１０の境界で、下方側面部１２を下方側面部１２と底面部１０の境界で折りたたんだ状態のアンプルケース１の側面図が示されている。通常この状態で、別の箱の中などにアンプルケース１ごと挿入されてアンプル３０は搬送される。
【実施例】
【００１９】  ［実施例１および比較例１］
＜実施例１、および比較例１のサンプル（アンプルケース）作成＞【００２０】  マルチフォームトレイ製造機（ディヴィデラ社製）を用い、ロール状の興陽製紙社製の両白板（幅１３０ｍｍ、坪量３２０ｇ／ｍ２）の上に、ロール状の日本製紙社製のアイベストＷ（幅８５ｍｍ、坪量２１０ｇ／ｍ２）を波状にエチレン酢酸ビニル系のホットメルト剤（日信化学社製）を用いて接着し図１記載の容器を製作した。図１の底面部１０の幅は８７ｍｍ、長さは１２４．４ｍｍ、上部側面部１１の幅は２１．５ｍｍ、で長さは１２４．４ｍｍ、下部側面部１２の幅は２１．５ｍｍ、長さは１２４．４ｍｍである。各山部の頂点２８の底面部１０の表面からの高さは２１ｍｍである。波状挟持部１３の幅は８５ｍｍである。山の数ｍは７個（ｍ＝２ｎ＋１、ｎ＝３）である。アンプル（物品）を６個挟持できるアンプルケースである。
図２の容器の左端の山と隣接する山の間の水平距離、および右端の山と隣接する山の間の水平距離は等しくいずれも１６．９ｍｍであった（Ｌ１）。また左端より３（ｎ）番目と４（ｎ＋１）番目の山の各々の頂点の水平距離をＬ３とした。Ｌ３の異なる本発明のサンプルＡ１−１〜４、比較例のサンプルＣ１−１〜３の計７種のサンプルを作成した。なお各サンプルの（Ｌ３−Ｌ１）の値を下表に示した。なお、左端より３（ｎ）番目と４（ｎ＋１）番目の山以外の隣接する山の頂点の間の水平距離はＬ１と同じ１６．９ｍｍにした。【００２１】  ＜取り出し性による緩衝能力、保持能力の評価＞
これらのサンプル（アンプルケース）に直径１４．９ｍｍ、長さ８６ｍｍのアンプル瓶各６個、各々のサンプルの６個の波状挟持部の谷部に装着（図４，５，６参照）し、３時間放置した後にアンプル瓶を取り出した。取り出し時の抵抗で次のように緩衝能力を評価した。取り出し時に抵抗はあるが通常の力で容易に取り出せるものを良好とし、取り出し時にほとんど抵抗がなく保持力が不十分なもの、および取り出し時に抵抗が大きく取り出すため強い力を要しアンプルを破損する可能性があったものを不良とした。良好を５点とし、不良を１点とした。良好、不良の程度により５から１の点数をつけ評価した。サンプルは各３点作成し取り出し試験を行った。【００２２】＜評価結果＞
サンプルＮｏ．  Ｌ３−Ｌ１    評価結果
Ｃ１−１        ０．０．ｍｍ    １        比較例
Ｃ１−２        ０．１          １        比較例
Ａ１−１        ０．２          ３        本発明
Ａ１−２        ０．３          ５        本発明
Ａ１−３        ０．４          ５        本発明
Ａ１−４        ０．５          ３        本発明
Ｃ１−３        ０．６          １        比較例
本発明のサンプルＡ１−１〜４はいずれも比較例のサンプルＣ１−１〜３よりも緩衝能力、保持能力が高く好ましかった。【００２３】［実施例２および比較例２］
＜実施例２、および比較例２のサンプル（アンプルケース）作成＞
山の数を６個に変更し、底面部１０、上部側面部１１、下部側面部１２のそれぞれの長さを１０７．５ｍｍに変更した以外は実施例１と同様にして容器を製作した。山の数ｍは６個（ｍ＝２ｎ、ｎ＝３）である。アンプル（物品）を５個挟持できるアンプルケースである。
本容器の左端の山（図２参照）と隣接する山の間の水平距離、および右端の山と隣接する山の間の水平距離は等しくいずれも１６．９ｍｍであった（Ｌ１）。また左端より３（ｎ）番目と４（ｎ＋１）番目の山の各々の頂点の水平距離をＬ３とした。Ｌ３の異なる本発明のサンプルＡ２−１〜４、比較例のサンプルＣ２−１〜３の計７種のサンプルを作成した。なお各サンプルの（Ｌ３−Ｌ１）の値を下表に示した。なお、左端より３（ｎ）番目と４（ｎ＋１）番目の山以外の隣接する山の頂点の間の水平距離はＬ１と同じ１６．９ｍｍにした。【００２４】  ＜取り出し性による緩衝能力、保持能力の評価＞
実施例１と同様の方法で評価した。
＜評価結果＞
サンプルＮｏ．  Ｌ３−Ｌ１        評価結果
Ｃ２−１        ０．０．ｍｍ    １        比較例
Ｃ２−２        ０．１          １        比較例
Ａ２−１        ０．２          ３        本発明
Ａ２−２        ０．３          ５        本発明
Ａ２−３        ０．４          ５        本発明
Ａ２−４        ０．５          ３        本発明
Ｃ２−３        ０．６          １        比較例
本発明のサンプルＡ２−１〜４はいずれも比較例のサンプルＣ２−１〜３よりも緩衝能力、保持能力が高く好ましかった。【００２５】  以上、本発明の実施例について説明したが、本発明は上記実施例に限定されるものではない。【００２６】    本発明は、以上に述べたように、簡単な構成で、安価で、かつ物品に対する緩衝能力、保護能力が高い容器として軟膏等のチューブ、アンプル、バイエル瓶等の医薬品に限らず、食品、玩具、電機製品の部品、自動車の部品の輸送用、保管用の容器として広範囲な分野で利用される可能性を有している。
【符号の説明】
【００２７】    １      アンプルケース
１０    底面部
１１    上方側面部
１２    下方側面部
１３    波状挟持部
２５    山部
２６    谷部
２７    膨出部
２８    頂点
３０    アンプル（物品）
【図１】
2015089835.tif 000003
【図２】
2015089835.tif 000004
【図３】
2015089835.tif 000005
【図４】
2015089835.tif 000006
【図５】
2015089835.tif 000007
【図６】
2015089835.tif 000008
【図７】
2015089835.tif 000009